(57)【要約】      （修正有）【課題】  必要に応じて人体の特定ツボ個所に手早くかつ容易に適切に押し当ててあるいはこすり当てるのに適したツボ加温冷治療具を提供しようとする。【解決手段】  複数の長手方向面及び端面を有する長尺状をなし、前記複数の長手方向面から選択される面に、人体表面の押すと尾てい骨につき当る一の部分に当接されることとなる一の隆起部８と、前記一の部分に関して対称な位置の一対の押すと坐骨につき当る他の部分にそれぞれ当接されることとなる一対の他の隆起部１２，１２とが形成された温冷熱体２を備え、前記長手方向面の一部が、前記温冷熱体の長手方向に延びかつ該長手方向と直交する方向に弧状に曲った略半円柱表面状をなし、前記温冷熱体の端面部の一部が弧状に曲った略半円柱表面状をなし、隣接の一対の前記長手方向面と前記端面とが会合する角部の外面が略半球状の曲面形状をなすツボ加温冷治療具である。【選択図】  図１（ａ）
2006122640.tif 000002
【特許請求の範囲】
【請求項１】
複数の長手方向面及び端面を有する長尺状をなし、前記複数の長手方向面から選択される面に、人体表面の押すと尾てい骨につき当る一の部分に当接されることとなる一の隆起部と、前記一の部分に関して対称な位置の一対の押すと坐骨につき当る他の部分にそれぞれ当接されることとなる一対の他の隆起部とが形成された温冷熱体を備え、前記長手方向面の一部が、前記温冷熱体の長手方向に延びかつ該長手方向と直交する方向に弧状に曲った略半円柱表面状をなし、隣接の一対の前記長手方向面と前記端面とが会合する角部の外面が略半球状の曲面形状をなすツボ加温冷治療具。
【請求項２】
前記温冷熱体の外形状が厚さ５〜１５ｃｍ、幅５〜１５ｃｍであり、前記長手方向面の一部が、前記温冷熱体の長手方向に延びかつ該長手方向と直交する方向に曲率半径０．５〜３ｃｍの弧状に曲った、略半円柱表面状をなし、前記角部の外面が曲率半径０．５〜３ｃｍの略半球状の曲面形状をなす請求項１に記載のツボ加温冷治療具。
【請求項３】
前記端面と前記長手方向面との交わる端辺部の少なくとも一部が、曲率半径０．５〜３ｃｍの弧状に曲った略半円柱表面状をなす請求項１又は２に記載のツボ加温冷治療具。
【請求項４】
前記長手方向面同士の交わる側辺部の少なくとも一部が、曲率半径０．５〜３ｃｍの弧状に曲った、略半円柱表面状をなす請求項１乃至３のいずれかに記載のツボ加温冷治療具。
【請求項５】
１の前記長手方向面に隣接し互いに対向の一対の他の前記長手方向面が、該１の長手方向面から離れる方向に先すぼみである請求項１乃至４のいずれかに記載のツボ加温冷治療具。
【請求項６】
前記温冷熱体に温水又は冷水を収納する中空部が形成された請求項１乃至５のいずれかに記載のツボ加温冷治療具。
【請求項７】
長さが人の股の付け根から膝までの距離の５０〜１００％であり、径が２〜１０ｃｍの長尺の温熱体と、該温熱体を収納する袋体とを備え、前記温熱体が該袋体に収納されて座席に着座の人の股の間に挟まれて配されるエコノミークラス症候群予防用ツボ加温治療具。
【請求項８】
前記袋体が発泡樹脂層とアルミ箔層とを含む積層構造を含んで成る断熱シートから形成された請求項７に記載のエコノミークラス症候群予防用ツボ加温治療具。
【請求項９】
前記積層構造の最外層が布の層である請求項８に記載のエコノミークラス症候群予防用ツボ加温治療具。
【請求項１０】
前記温熱体に温水を収納する中空部が形成された請求項７乃至９のいずれかに記載のエコノミークラス症候群予防用ツボ加温治療具。
【請求項１１】
筒状物又は柱状物であって、該筒状物又は柱状物の一方の端辺で形成される底面が該筒状物又は柱状物の長手方向に直交し、且つ前記筒状物又は柱状物の他方の端辺で形成される上面が前記筒状物又は柱状物に斜向するツボ押圧治療具。
【発明の詳細な説明】
【技術分野】
【０００１】
本発明は、人体要部のツボを加温又は冷却してコリ等の障害を治療するツボ加温冷治療具に関する。
【背景技術】
【０００２】
人体要部を加温してコリ等の障害を治療する各種の温熱具が知られている。（例えば、特許文献１参照。）温熱を与えながら腰部の矯正ができる温熱具として、シート状袋体内に発熱体および断熱材を配置すると共に、シート状袋体の一方の面（着用時に外側となる面）にバルーン室を形成し、バルーン室の空気圧力によって発熱体を身体に押し当て、この発熱体からの熱により温熱治療を行うと共に、発熱体を身体に押し当てるときの押圧力によって身体を矯正するように構成したもの（例えば、特許文献２参照。）が開示されている。
【０００３】
しかし、これら従来の温熱具はさまざまな人体のツボの位置に相当するさまざまな特定個所から選択される位置に手早くかつ容易に適切に当接させるのに必ずしも適していなかった。又、温熱具を人体のさまざまな位置につぎつぎに当接させて特定のツボをさぐり同定し、次いでそのままただちにその同定されたツボを加温することも行なわれるが、従来の温熱具はこのような一連操作に適したものではない。又、従来の温熱具はツボにこすりつけて加温する操作を行なうのに適していない。
【特許文献１】実開昭５６−３０９１２号公報（特許請求の範囲）
【特許文献２】特開平６−３１１９９６号公報（特許請求の範囲）
【発明の開示】
【発明が解決しようとする課題】
【０００４】
本発明の目的は、必要に応じて人体の特定ツボ個所に手早くかつ容易に適切に押し当ててあるいはこすり当てるのに適したツボ加温冷治療具を提供することにある。
【０００５】
本発明の目的は、人体のさまざまな位置につぎつぎに当接させて特定のツボをさぐり同定し、次いでそのままただちにその同定されたツボに押し当ててあるいはこすり当て加温又は冷却するのに適したツボ加温冷治療具を提供することにある。
【課題を解決するための手段】
【０００６】
本発明の要旨とするところは、複数の長手方向面及び端面を有する長尺状をなし、前記複数の長手方向面から選択される面に、人体表面の押すと尾てい骨につき当る一の部分に当接されることとなる一の隆起部と、前記一の部分に関して対称な位置の一対の押すと坐骨につき当る他の部分にそれぞれ当接されることとなる一対の他の隆起部とが形成された温冷熱体を備え、前記長手方向面の一部が、前記温冷熱体の長手方向に延びかつ該長手方向と直交する方向に弧状に曲った略半円柱表面状をなし、隣接の一対の前記長手方向面と前記端面とが会合する角部の外面が略半球状の曲面形状をなすツボ加温冷治療具であることにある。
【０００７】
前記ツボ加温冷治療具においては、前記温冷熱体の外形状が厚さ５〜１５ｃｍ、幅５〜１５ｃｍであり得、前記長手方向面の一部が、前記温冷熱体の長手方向に延びかつ該長手方向と直交する方向に曲率半径０．５〜３ｃｍの弧状に曲った、略半円柱表面状をなし得、前記角部の外面が曲率半径０．５〜３ｃｍの略半球状の曲面形状をなし得る。
【０００８】
前記ツボ加温冷治療具においては、前記端面と前記長手方向面との交わる端辺部の少なくとも一部が、曲率半径０．５〜３ｃｍの弧状に曲った略半円柱表面状をなし得る。
【０００９】
前記ツボ加温冷治療具においては、前記長手方向面同士の交わる側辺部の少なくとも一部が、曲率半径０．５〜３ｃｍの弧状に曲った、略半円柱表面状をなし得る。
【００１０】
前記ツボ加温冷治療具においては、１の前記長手方向面に隣接し互いに対向の一対の他の前記長手方向面が、該１の長手方向面から離れる方向に先すぼみであり得る。
【００１１】
前記ツボ加温冷治療具においては、前記温冷熱体に温水又は冷水を収納する中空部が形成され得る。
【００１２】
又、本発明の要旨とするところは、長さが人の股の付け根から膝までの距離の５０〜１００％であり、径が２〜１０ｃｍの長尺の温熱体と、該温熱体を収納する袋体とを備え、前記温熱体が該袋体に収納されて座席に着座の人の股の間に挟まれて配されるエコノミークラス症候群予防用ツボ加温治療具であることにある。
【００１３】
前記袋体は、発泡樹脂層とアルミ箔層とを含む積層構造を含んで成る断熱シートから形成され得る。
【００１４】
前記積層構造の最外層は布の層であり得る。
【００１５】
前記エコノミークラス症候群予防用ツボ加温治療具においては、前記温熱体に温水を収納する中空部が形成され得る。
【００１６】
又更に、本発明の要旨とするところは、筒状物又は柱状物であって、該筒状物又は柱状物の一方の端辺で形成される底面が該筒状物又は柱状物の長手方向に対して直交し、且つ前記筒状物又は柱状物の他方の端辺で形成される上面が前記筒状物又は柱状物に対して斜向するツボ押圧治療具であることにある。
【発明の効果】
【００１７】
本発明によると、必要に応じて人体の特定ツボ個所に適切に押し当ててあるいはこすり当てて加温又は冷却するのに適したツボ加温冷治療具が提供される。
【００１８】
本発明によると、人体のさまざまな位置につぎつぎに当接して特定のツボをさぐり同定し、次いでそのままただちにその同定されたツボに押し当ててあるいはこすり当てて加温又は冷却するのに適したツボ加温冷治療具が提供される。
【００１９】
本発明によると、ツボ治療におけるツボの探査、押し当て凸面の選択、効果的な押し当て及びこすり操作、の全てを一連の操作として、各人で異なるツボの位置や押し当て条件に即応して無理なく円滑に容易に行なうことが出来るツボ加温冷治療具が提供される。
【００２０】
本発明によると、非力な高齢者等が使用してもこれらの操作を無理なくかつ効果的に行なえるツボ加温冷治療具が提供される。
【発明を実施するための最良の形態】
【００２１】
本発明のツボ加温冷治療具の実施形態について、図面を使用して説明する。なお、本明細書においては、各図にわたって記される同じ符号は同一又は同様の部材あるいは同一又は同様の機能を有する部材やものを示す。図１（ａ）に示すように、本発明のツボ加温冷治療具２は、人体の腰部の背後などに当接させて配されて好適に機能を発揮するものであり、外面形状が長尺厚板状又は棒状をなす温冷熱体１４を含んで構成される。温冷熱体１４の表（おもて）面１５には、腰部あるいはその近傍背後の中央部（背骨あるいは尾てい骨の部分あるいはその近傍）に当接されることとなる一の隆起部８と、その中央部を中心として腰まわり方向に対称な位置にある中央部の両側部にそれぞれ当接されることとなる一対の他の隆起部１２、１２とが形成されている。又、温冷熱体１４は樹脂あるいは金属あるいはセラミックスから成る中空の殻構造でなり、その中空部１６に温湯や冷水が注入、留置される。温冷熱体１４は不図示の温湯又は冷水の注入栓を備える。温冷熱体１４は温湯や冷水の注入のような加温冷手段により加温冷されるものである。
【００２２】
人体の上述の中央部及び両側部は人体のいわゆるツボに相当する部分であり、加温又は冷却された隆起部８及び隆起部１２、１２がこれらのツボにそれぞれ有効に当接して、患部の効果的な加温又は冷却がなされる。
【００２３】
温冷熱体１４の裏面１７の隆起部１２の反対がわにはさらに他の隆起部１３が形成されていることが好ましい。温冷熱体１４の隆起部８の反対がわには凹陥部２０が形成されていることが好ましい。ツボ加温冷治療具２を隆起部８及び隆起部１２、１２を下向きにして床面に載置し、頚椎の部分を凹陥部２０に載置して使用することが出来る。このような使用の態様の場合には、頚椎の部分のツボが効果的に刺激される。このような使用の態様で用いない場合は、裏面１７の隆起部８の反対がわの面は図１（ｃ）の破線２２で示すような隆起部３３が形成されていてもよい。なお、以下の記載においては、表（おもて）面１５と裏面１７と、表（おもて）面１５と裏面１７にまたがる側面を長手方向面とも称する。
【００２４】
温冷熱体１４は２箇所にくびれ２４を有する。くびれ２４は、温冷熱体１４の長手方向と直交する周面に沿って形成され、２箇のくびれ２４により温冷熱体１４が温冷熱体１４の長手方向に並ぶ３個の区域３０、３１、３２に３区分される。区域３０、３１、３２に隆起部１２、１０、１２がそれぞれ配置されている。温湯や冷水を留置する中空部１６は区域３０、３１、３２ごとに独立した中空部であってもよい。
【００２５】
くびれ２４は区域３０、３１、３２を明確にするために好適に設けられるが、必ずしも全周にわたって形成されていなくともよい。あるいは必ずしもくびれ２４が設けられなくともよい。
【００２６】
温冷熱体１４は、長手方向に直交する外断面が略正方形、略長方形、台形、その他の四辺形であってもよい。三角形、五角形以上の多角形であってもよい。外面形状が厚さ５〜１５ｃｍ、幅５〜１５ｃｍであることが好ましい。厚さ、幅がこの範囲であると、温冷熱体１４を手で掴んで所望のツボに当てる操作が容易になる。温冷熱体１４は３〜４ｋｇとかなり重いので、サイズがこの範囲をこえて大きくなると、非力の高齢者等にとってはこの操作がやりにくくなる。温冷熱体１４がこの範囲をこえて小さくなるか扁平になると、比表面積（単位体積当りの表面積）が増えて熱の放散あるいは吸収がはやくなり、ツボ刺激操作に必要な温度が所定時間にわたって確保できない。
【００２７】
又、温冷熱体１４の長手方向に沿い隣接する長手方向面１９と長手方向面２９の交わる側辺部４１の少なくとも一部分が、側辺部４１の長手方向に延びかつ該長手方向と直交する方向に弧状に曲った略半円柱表面状をなしている。この弧状の曲りの曲率半径は０．５〜３ｃｍであることが好ましい。この略半円柱表面状の法線の長さは３ｃｍ以上であることが好ましい。更に、温冷熱体１４の端面部５５において、長手方向面１９又は長手方向面２９と端面２１とが交わる端辺部５３の少なくとも一部分が、端辺部５３の長手方向に延びかつ端辺部５３の長手方向と直交する方向に曲率半径０．５〜３ｃｍの弧状に曲った、略半円柱表面状をなしている。この略半円柱表面状の法線の長さは２〜１３ｃｍであることが好ましい。更に、長手方向面１９又は長手方向面２９と端面２１との交わる角部２３のうちの少なくとも１つは、外面が略半球状の曲面形状をなす。この略半球状の曲りの曲率半径は０．５〜３ｃｍであることが好ましい。
【００２８】
図１（ｄ）は異なる形状の長手方向面１９ａを備える温冷熱体１４ａの図１（ｂ）に相当する断面の断面模式図であり、長手方向面１９ａの、温冷熱体１４ａの長手方向と直交する周方向の曲がり状態を示す。図１（ｅ）は異なる形状の端面２１ａを備える温冷熱体１４ａの図１（ｃ）に相当する断面の断面模式図であり、端面２１ａの、温冷熱体１４ａの長手方向の周方向の曲がり状態を示す。
【００２９】
温冷熱体１４は略真っ直ぐの長尺型であるが、隆起部８を内がわにして長手方向にやや湾曲し腰まわりにフィットする配慮がなされてもよい。あるいは、くびれ２４の部分が可撓性の部材で形成されて、腰まわりにフィットさせるためにくびれ２４の部分を折り目として温冷熱体１４が折り曲げられる構成であってもよい。
【００３０】
本発明のツボ加温冷治療具の更に異なる態様を図２〜図８に示す。なお、図２〜図８においては、温冷熱体１４ｈの外面の立体的な湾曲の状態は一部不図示である。これらの図に示すツボ加温冷治療具２ｈにおいては、温冷熱体１４ｈの中空部１６ｈに温湯又は冷水を注入するための栓１００が本体の１の端面２１ｈに設けられている。又、図８で明らかなように、１の長手方向面１９ｈに隣接し、互いに対向の一対の長手方向面１９ｂ、１９ｃが１の長手方向面１９ｈから離れる方向に先すぼみである。即ち、１の長手方向面１９ｈと長手方向面１９ｂとのなす角度α１及び、１の長手方向面１９ｈと長手方向面１９ｃとのなす角度α２がともに鋭角である。これにより、ツボ加温冷治療具２ｈを手で掴んで把持してツボ当ての操作を行なうときに、図９に示すように、高齢者でも安定してツボ加温冷治療具２ｈを掴むことが出来る。
【００３１】
ツボ加温冷治療具はじかに肌に当てツボを刺激するのが好ましい。そのため、外壁の熱伝導性から、金属製よりも樹脂製であることが好ましいが、樹脂製の外壁は表面が平滑で滑りやすく、水が注入されて３ｋｇ以上と重くなった温冷熱体１４ｈを手で掴んで所望のツボ当て操作を行なうことが非力の高齢者等にとっては極めて容易とは言い難たかったが、ツボ加温冷治療具２ｈのように長手方向面１９ｈ、１９ｂ、１９ｃが図８に示す配置であれば、非力の高齢者でも安定してツボ加温冷治療具２ｈの長手方向中央部を掴んで所望の操作を行なうことが出来る。長手方向面１９ｈの幅ＨＨは、５〜８ｃｍであることがこの安定性のうえで好ましい。角度α１、α２は８０〜４５度であることが好ましい。７０〜５５度であることがこの安定性のうえで更に好ましい。
【００３２】
本発明のツボ加温冷治療具においては、中空部の容量は特に厳密に限定されないが、３〜４リットルであることが一連の使用操作でさめにくくあるいはあたたまりにくく好ましい。中空部の容量が６リットルを超えると水を入れたツボ加温冷治療具の重量が過大となり操作に支障があり好ましくない。又、本発明のツボ加温冷治療具はその独特な形状により身体の加温操作あるいは冷却操作に適しているが、中空部１６の容量が６リットルを超えると嵩だかになり、円滑な加温操作あるいは冷却操作のうえで好ましいとはいえない。
【００３３】
中空部に注入する湯の温度は４７〜４９℃であることが治療効果のうえで好ましい。４８℃であることが更に好ましい。冷水の場合は０〜１０℃であることが治療効果のうえで好ましい。冷水に関しては、常温の水を中空部に注入した後ツボ加温冷治療具ごと冷蔵庫等で冷却してもよい。湯に関しては、常温の水を中空部に注入した後ツボ加温冷治療具ごと電子レンジ等で加熱してもよい。
【００３４】
ツボ加温冷治療具２やツボ加温冷治療具２ｈのようなツボ加温冷治療具は、短時間であればじかに身体に当接させることが治療効果のうえで好ましいが、加温に用いて数分以上連続で身体に当接させる場合は、低温火傷を防止するため布等の断熱性シートを介して身体に当接させることが好ましい。
【００３５】
加温の場合、温冷熱体は中空部に充当した湯により加温されることが手軽で好ましいが、その他の加温手段で加温されてもよい。加温手段としては、例えば、電熱加温、酸化反応のような化学反応を利用した加温、温冷熱体に含有させたセラミックス等の高誘電率体を誘導加熱する加温等が挙げられる。
【００３６】
本発明のツボ加温冷治療具の使用の態様を説明する。ツボ加温冷治療具は正座する人の腰に当接させて、加温又は冷却された温冷熱体を人体に手で押し当てて隆起部８及び隆起部１２、１２で当接された部分を圧して刺激して用いてもよいが、図１０に示すように、床、畳、敷物等の平らな面上に隆起部８及び隆起部１２、１２を上向きにして置き、仰向けになって腰より丈方向にやや下がった部分を載せて用いることが好ましい。これにより、人の自重で隆起部８及び隆起部１２、１２で当接された部分が圧されて効果的に刺激される。隆起部８は、人体表面の押すと尾底骨につき当る一の部分に当接し、隆起部１２、１２は、この一の部分に関して対称な位置の一対の押すと坐骨につき当る他の部分にそれぞれ当接する。この一の部分及び一対の他の部分は人体のツボに相当する部位であり、これらの部位が隆起部８及び隆起部１２、１２により同時に加温加圧される場合は、特に各種の身体の異常に起因する親指と小指のシビレ感の緩和に有効に寄与する。図１０（ｂ）の符号３９は温冷熱体１４により刺激すべき人体の背がわの領域を示す。
【００３７】
この使用の態様は、腰痛の緩和に有効である。腰痛は、室内や車中の過度の冷房や、冷たい飲料や食事等による腰の冷えにより齎されることがある。腰痛は、突発性難聴やヘルニアに関連し、その原因にもなり得る。すべての病は腰痛からといわれるくらいに、腰痛が病を知らせるともいわれ、腰の冷えは油断できない。本発明のツボ加温冷治療具はこの腰痛に有効に対処できる。
【００３８】
本発明のツボ加温冷治療具の使用の他の態様においては、五十肩（肩関節周囲炎）に対処することが出来る。五十肩は特に前胸部と腋の神経に痛みがある。痛みの部位は図１１に示すように、人によって異なるので、各人ごとに痛む局所４０−１〜１１から選択して加温されたツボ加温冷治療具を当接させて温める。
【００３９】
一回に温める時間は５分程度が好ましい。ただし、ツボ加温冷治療具を当接させておく時間は１０秒程度とし、当接と隔離を小刻みに繰り返す。温めたのち腕を伸ばすなどして局所の近傍を動かす。この一連の操作を繰り返すことが好ましい。この繰り返しの操作は一回に１５分ほどかけ、一日に３回ほど行なうことが好ましい。風呂でこの局所を温めることも可能であるが、心臓に負担がかかる。風呂上りに上述の操作を行なうことが更に有効であり好ましい。
【００４０】
局所４０−１０（頚椎）を温めることにより一般の肩こりにも対処できる。又、三叉神経が刺激されて目の疲労の回復にも寄与する。頚椎の痛む個所に１０秒間ずつ間歇的に加温されたツボ加温冷治療具を押し当てて温めることが有効である。この操作は１回１５分程度行なうことが好ましい。凹陥部２０（図１）は頚椎を載置して当接させるのに適した形状である。
【００４１】
肩こりに対処する他の態様においては、局所４０−１、４０−１１に５分間おきに加温されたツボ加温冷治療具を押し当て温め、更にツボ加温冷治療具で局所４０−１、４０−１１をこすってみる。この操作は１回１５分、一日２回程度を目安として行なうことが好ましい。
【００４２】
肩こりに対処する更に他の態様においては、局所４０−１、４０−１１に５分間おきに加温されたツボ加温冷治療具を押し当て温め、更にツボ加温冷治療具で局所４０−１、４０−１１をこすってみる。この操作は１回１５分、一日２回程度を目安として行なうことが好ましい。
【００４３】
肩こりに対処する又更に他の態様においては、図１２に示すツボ４０−３、４０−１２〜１９から症状に応じて選択される部位に加温されたツボ加温冷治療具を押し当て温めることが好ましい。
【００４４】
本発明のツボ加温冷治療具の使用の又更に他の態様においては、人工透析を行なっている患者の膝関節から足裏に至る部位のしびれ感と脱力感に対処することが出来る。図１３に示す部位４２に加温されたツボ加温冷治療具を押し当て温めると、中空部１６内の湯がさめる２０分程度で体の冷えが緩和し、楽に眠れるようになる。人によって体が温まる時間は異なるので、更に数時間おいて湯を温かいものに入れ替え再び部位４２を温めることも好ましい。
【００４５】
又、人体の組織細胞の集合体にこぶができたときは、加温されたツボ加温冷治療具を当接させて温めるとこぶが小さくなることがある。
【００４６】
本発明のツボ加温冷治療具の使用の更に又他の態様においては、身体の局所を温めることによる子宮ガンの予防に寄与する。図１４に示す部位４３、４４、４５に加温されたツボ加温冷治療具を当接させて一日数回温めることにより、すりおろしの生姜入りのスープを一日３回飲んで発汗するときのような体温の上昇効果がある。これにより、子宮ガンらしい症状が徐々に回復する。又、下腹部が温まることによりおりものが少なくなる。この態様による人体の加温は、膀胱炎の症状の緩和にも寄与する。
【００４７】
本発明のツボ加温冷治療具の使用の更に別の態様においては、糖尿病患者の足（人によって異なるが親指から小指にかけての部位が主）のしびれ感に対処することが出来る。図１５に示す局所部位５０に加温されたツボ加温冷治療具を股にはさんでじかに長時間当接させて局所部位５０を温めることにより、鼠頸動、静脈が温められて痛みが緩和されしびれ感が除去される。又、血液の循環が促進されて歩行困難になることを予防する。人体図のハッチングされた部分はこの場合に温められる部位を示す。符号５２はこの場合に特に温められる部位を示す。
【００４８】
ツボ加温冷治療具のこれらの使用の態様において、各人ごとの痛む局所は、加温されたツボ加温冷治療具を手で把持して、温冷熱体１４の略半円柱表面状の長手方向面１９、あるいは、略半円柱表面状の端面２１、あるいは、略半球状の曲面形状の角部２３を順次手早く局所４０−１〜１１に当接させることにより簡便にさぐり、同定することができる。そして、同定された部位にそのままその長手方向面１９あるいは端面２１あるいは角部２３を押し当てることにより治療が効果的に行なわれる。又、同定された部位に適した押し当て凸面を長手方向面１９あるいは端面２１あるいは角部２３からすばやく選択して効果的な押し当てを行なうことが出来る。
【００４９】
例えば、局所４０−１、４０−４、４０−５、４０−９、４０−１０のような線状の領域を有する局所に対しては、その領域の長さに応じて長手方向面１９あるいは端面２１を線状に押し当て当接させることが好ましく、局所４０−３、４０−６のような点状の領域を有する局所に対しては、角部２３を押し当て当接させることが好ましく本発明のツボ加温冷治療具はこれらの操作を選択して迅速かつ容易に出来る。長手方向面１９あるいは端面２１の周方向の曲率や角部の曲率は温冷熱体１４の複数個の長手方向面１９や端面２１や角部２３のそれぞれで異なっていてもよい。異なった各種の曲率の長手方向面１９、端面２１、角部を備えることにより、形状に応じた長手方向面１９あるいは端面２１の選択の範囲が広がり、ツボの領域の形状や、各人の症状に適したより有効な押し当てが可能になる。
【００５０】
本発明のツボ加温冷治療具は、中空部に冷水を注入して、人体局所に対して押し当て及び／又はこすりの操作を行なうことにより、人体局所を効果的に冷やすことが出来る。特に、鞭打ちの症状がある部位に当接させて冷やしの必要な人体局所を効果的に冷やすことが出来る。あるいは、ギックリ腰の症状がある部位に例えば２０分ほど当接させて冷やしの必要な人体局所を効果的に冷やすことが出来る。
【００５１】
更に、本発明のツボ加温冷治療具は、長手方向面１９、端面２１、角部２３の形状及びそれらの配置状態が、ツボの部位に押し当ててこする操作を円滑に行なうのに適している。又、本発明のツボ加温冷治療具の形状は、ツボ加温冷治療具を手で把持してこのこすりの操作を円滑に行なうのに適している。
【００５２】
このように、押し当て及びこすりの一連のてばやく簡易な操作は、本発明のツボ加温冷治療具のすぐれた形状と、長手方向面１９、端面２１、角部２３及び隆起部８、１２、１２の相互の配置状態によりもたらされる。即ち、本発明のツボ加温冷治療具は、ツボの探査と探査されたツボに適した押し当て凸面の選択と、上述の効果的な押し当て及びこすり操作をツボ加温冷治療具を手で把持して無理なく円滑に容易に行なうことが出来る形状となっている。本発明のツボ加温冷治療具はこのような操作を行なうときの障害となる余計な突出部やかさだかの部分がなく、又、手で持ちやすく、本発明のツボ加温冷治療具により、ツボ加温冷治療具の把持、ツボ治療におけるツボの探査、押し当て凸面の選択、効果的な押し当て及びこすり操作、の全てを一連の操作として、各人で異なるツボの位置や押し当て条件に即応して無理なく円滑に容易に行なうことが出来る。
【００５３】
局所部位５０に長時間当接させて局所部位５０を温めるツボ加温冷治療具としては、図１６に示すツボ加温治療具２ｂが更に好ましい。ツボ加温治療具２ｂは、長さが人の股の付け根から膝までの距離の５０〜１００％である長尺の温熱体６０が断熱性の袋体６２に収納されてなる。ツボ加温治療具２ｂは、股の間に挟まれて配されることにより、局所部位５０に長時間当接させて局所部位５０を温める。ツボ加温治療具２ｂの径は１〜１０ｃｍであることが温める効果が大きくかつ局所部位５０に違和感なく長時間当接させて留めておくうえで好ましい。３〜７ｃｍであることが温める効果が大きくかつ局所部位５０に違和感なく長時間当接させて留めておくうえで更に好ましい。又、径が１ｃｍを下まわると温める効果が小さい。
【００５４】
温熱体６０は温水を収納した容器６１から構成される。袋体６２は断熱性のシートを袋状に成形してなり、中身を封止開放出し入れ可能とする不図示の開閉部を備える。符号６３は容器６１の栓である。
【００５５】
断熱性のシートとしては、編織物、不織布、発泡樹脂シートなどが挙げられる。発泡樹脂シートの素材としては、ポリエチレン、ポリプロピレン、ポリウレタンなどが挙げられるがこれらに限定されない。
【００５６】
特に、図１７に示す３層構造の断熱シート６６がツボ加温治療具２ｂの使用の態様における断熱性に優れ好ましい。断熱シート６６は、布６８、発泡樹脂シート７０、金属箔７２がこの順に積層された構成となっている。金属箔７２の層を発泡樹脂シート７０の層より内側にして袋体６２を形成することにより、袋体６２に収納された温熱体６０は２０時間以上にわたって４０℃以上の温度を維持することができ、かつ、局所部位５０に当接されたツボ加温冷治療具２ｂの表面（袋体６２の表面）の温度が１０時間以上にわたって長時間温かく維持される。金属箔７２の層は透明樹脂フィルム７７にアルミ等の金属を蒸着した蒸着フィルム７５を積層して形成することが耐久性やコストの点で好ましい。符号７９は金属箔７２の保護層である。
【００５７】
容器６２に注入する温水の温度は高いほうが長時間加熱が持続されるが、高すぎると低温火傷の原因になるので、４４〜４５℃であることが好ましい。
【００５８】
ツボ加温治療具２ｂは小型で携帯に便利であり、座席に長時間座った状態でも使用できる。移動体、特に旅客機のシートに座った状態でも使用できる。旅客機ではシートに座った状態が長時間続き、エコノミークラス症候群になりやすいが、ツボ加温治療具２ｂをシートに座った状態で使用することにより、適切にツボが刺激されて血行が改善されエコノミークラス症候群の予防ができる。事務机に長時間座った場合のエコノミークラス症候群の予防もできる。
【００５９】
袋体６２は、発泡樹脂シート７０と蒸着フィルム７５とから構成されていてもよいが、更に最外層に布６８の層が設けられることが断熱性のうえで更に好ましい。布６８は通常の平織りや変化織りなどの織物であってもよいが、起毛編織物等の起毛布であることが断熱性のうえで更に好ましい。
【００６０】
本発明のツボ加温冷治療具の又更に異なる態様を図１８（ａ）〜図１８（ｃ）に示す。この図に示すツボ押圧治療具２ｃは、人体の耳の下などに当接させて配されて好適に機能を発揮するものであり、複数の長手方向の面８０ａ〜８０ｆで主に構成される柱状物３である。そして、この柱状物３の一方の端辺８１、すなわち柱状物３を構成する各長手方向の面８０ａ〜８０ｆの一方の端辺８１ａ〜８１ｆで形成される底面８２は、柱状物３の長手方向、すなわち長手方向の面８０ａ〜８０ｆに直交し、柱状物３の他方の端辺８３、すなわち各長手方向の面８０ａ〜８０ｆの他方の端辺８３ａ〜８３ｆで形成される上面８４は、柱状物３の長手方向に対して斜向する。つまり、ツボ押圧治療具２ｃは、底面８２及び上面８４の形状が六角形であって、且つ上面８４が長手方向に対して斜向している、言い換えれば底面８２と上面８４とが平行をなさない、略六角柱状の外形を有する。そして、他方の端辺８３ａ〜８３ｆがそれぞれ交わる部分には角部８５ａ〜８５ｆが形成される。
【００６１】
本発明のツボ押圧治療具２ｃの使用の態様を説明する。ツボ押圧治療具２ｃは、図１９に示すように、床、畳、敷物等の平らな面上に上面８４を上向きにして置き、横向きに寝て耳の下２ｃｍ程あけた後耳介筋から胸鎖乳突筋までの間を載せて用いることが好ましい。これにより、人の自重で任意の角部８５が当接された部分が圧されて効果的に刺激される。角部８５ａ〜８５ｆのうち任意の角部８５は、特に図２０に示す局所４０−２０〜２２に当接される。この部分は人体のツボに相当する部位であり、これらの部位が任意の角部８５により同時に加圧される場合は、特に花粉症に起因する鼻づまりの緩和に有効に寄与する。なお、図２０には人体の左側面に位置する局所４０−２０〜２２が図示されているが、右側面にも同様の位置に局所が存在する。
【００６２】
一回に押圧する時間は左右合わせて１５分程度が好ましい。ただし、ツボ押圧治療具２ｃを当接させておく時間は２０秒程度とし、当接と離隔を小刻みに繰り返す。一日に３回ほど行うことが好ましい。
【００６３】
この使用の態様は花粉症による鼻づまりの症状の他、息苦しい、のどの痛み、全身のだるさ、三叉神経の圧迫感等の諸症状の緩和に有効である。又、パニック症候群、突発性難聴、メンエール症候群、長年の頭痛、言語障害等にも有効に対処することが出来る。
【００６４】
花粉症に対処する他の態様においては、上記と同様の体勢で、図２１に示す後頭の左耳介筋から右耳介筋の間にある局所４０−２３〜２５及び局所４０−２６〜２８にそれぞれツボ押圧治療具２ｃの任意の角部８５を押し当てる。この操作も左右合わせて１５分程度、一日に３回ほど行うことが好ましい。又、これらの使用態様と合わせて、尾骨から腰椎までの範囲をツボ加温冷治療具で温めると、更に有効であり好ましい。
【００６５】
本発明のツボ押圧治療具２ｃの使用の他の態様においては、骨盤変位の矯正に有効である。図２２に示すように、ツボ押圧治療具２ｃを床、畳、敷物等の平らな面上に、長手方向の面８０が平らな面と水平になるようにして置き、仰向けに寝て図２１に示す局部４０−２９、３０及び局部４０−３１、３２にツボ押圧治療具２ｃの一方の端辺８１を当接させる。これにより、人の自重で端辺８１で当接された局部４０−２９〜３２が圧されて効果的に刺激され、骨盤変位の矯正に効果があると共に、血行が促進される。又、局部４０−２９〜３２をあらかじめツボ加温冷治療具で温めた後に本態様を行うと、更に有効であり好ましい。
【００６６】
ツボ押圧治療具は陶器等のセラミックスあるいは樹脂あるいは金属から成る中空の殻構造でなるが、特に限定されない。１の長手方向の面８０のみで構成された筒状物でもよく、中実の柱状物でもよい。
【００６７】
又、ツボ押圧治療具が中空の殻構造でなる場合、この中空部に温湯や冷水が注入、留置できる態様としてもよい。ツボ押圧治療具は温湯や冷水の注入のような加温冷手段により加温冷されて、局部への当接による刺激と共に、局部の加温又は冷却が効果的になされる。更に、ツボ押圧治療具を直接加温冷して局部に当接してもよい。
【００６８】
又、水平方向の断面形状、すなわち底面及び上面の外形も図示した六角形に限定されず、正方形、長方形、台形、その他の四辺形であってもよい。三角形、五角形以上の多角形であってもよい。円形、楕円形、半円形、扇形であってもよい。つまり、水平方向の断面形状は特に限定されるものではないが、図１９、２２に示した使用の態様において、図２０、２１に示した局部に良好な刺激を効果的に与えることが出来る点で、五〜八角形であることが特に好ましい。又更に、他方の端辺８３、角部８５、長手方向の面８０の長手方向に延びる長辺８６が所定の曲率半径の弧状に曲がった、略半円柱表面状をなしてもよい。
【００６９】
その他、本発明は、主旨を逸脱しない範囲で当業者の知識に基づき種々なる改良、修正、変更を加えた態様で実施できるものである。
【産業上の利用可能性】
【００７０】
本発明のツボ加温冷治療具は、上述の人体の部位のみならず他のツボの加温や冷却、押圧に有効に適用出来る。
【図面の簡単な説明】
【００７１】
【図１（ａ）】本発明のツボ加温冷治療具の構成を示す斜視図である。
【図１（ｂ）】図１（ａ）に示すツボ加温冷治療具のＡ−Ａ方向及びＣ−Ｃ方向の断面端面図である。
【図１（ｃ）】図１（ａ）に示すツボ加温冷治療具のＢ−Ｂ方向の断面端面図である。
【図１（ｄ）】図１（ａ）に示すツボ加温冷治療具とは異なる態様の本発明のツボ加温冷治療具の構成の一例を示すＡ−Ａ方向及びＣ−Ｃ方向に対応する断面の断面端面図である。
【図１（ｅ）】図１（ａ）に示すツボ加温冷治療具とは異なる態様の本発明のツボ加温冷治療具の構成の一例を示すＢ−Ｂ方向に対応する断面の断面端面図である。
【図２】本発明のツボ加温冷治療具の他の態様の一例を示す正面図である。
【図３】図２に示すツボ加温冷治療具の平面図である。
【図４】図２に示すツボ加温冷治療具の背面図である。
【図５】図２に示すツボ加温冷治療具の底面図である。
【図６】図２に示すツボ加温冷治療具の右側面図である。
【図７】図２に示すツボ加温冷治療具の左側面図である。
【図８】図２に示すツボ加温冷治療具のＡ−Ａ方向の断面図である。
【図９】図２に示すツボ加温冷治療具の長手方向中央部を手で掴んだ状態を示す側面模式図である。
【図１０】本発明のツボ加温冷治療具の使用の態様の一例を説明する説明図であり、図１０（ａ）は側面模式図、図１０（ｂ）は背面図である。
【図１１】本発明のツボ加温冷治療具を当接すべきツボの位置を示す説明図であり、図１１（ａ）は背面模式図、図１１（ｂ）は正面模式図、図１１（ｂ）は側面模式図である。
【図１２】本発明のツボ加温冷治療具を当接すべき他のツボの位置を示す説明図であり、図１２（ａ）は側面模式図、図１２（ｂ）は正面模式図である。
【図１３】本発明のツボ加温冷治療具を当接すべき更に他のツボの位置を示す背面模式図である。
【図１４】本発明のツボ加温冷治療具を当接すべき又更に他のツボの位置を示す説明図であり、図１４（ａ）は正面模式図、図１４（ｂ）は背面模式図である。
【図１５】本発明のツボ加温冷治療具を当接すべき更に又他のツボの位置を示す説明図であり、図１５（ａ）は側面模式図、図１５（ｂ）は正面模式図である。
【図１６】本発明のツボ加温治療具の態様の一例を示す斜視模式図である。
【図１７】図１６のツボ加温治療具に用いられる袋体を構成する断熱性のシートの構造の一例を示す断面模式図である。
【図１８（ａ）】本発明のツボ押圧治療具の態様の一例を示す斜視模式図である。
【図１８（ｂ）】図１８（ａ）に示すツボ押圧治療具の右側面図である。
【図１８（ｃ）】図１８（ａ）に示すツボ押圧治療具の正面図である。
【図１９】本発明のツボ押圧治療具の使用の態様の一例を説明する説明図である。
【図２０】本発明のツボ押圧治療具を当接すべきツボの位置を示す側面模式図である。
【図２１】本発明のツボ押圧治療具を当接すべき他のツボの位置を示す背面模式図である。
【図２２】本発明のツボ押圧治療具の他の使用の態様の一例を説明する説明図である。
【符号の説明】
【００７２】
２、２ａ：ツボ加温冷治療具
２ｂ：ツボ加温治療具
２ｃ：ツボ押圧治療具
３：柱状物
８、１２、１２：隆起部
１４、１４ａ：温冷熱体
１６：中空部
２０：凹陥部
２４：くびれ
１９、１９ａ：長手方向面
２１、２１ａ：端面
２３：角部
６２：袋体
６６：断熱シート
６８：布
７０：発泡樹脂シート
７２：金属箔
８０、８０ａ〜８０ｆ：長手方向の面
８１、８１ａ〜８１ｆ：一方の端辺
８２：底面
８３、８３ａ〜８３ｆ：他方の端辺
８４：上面
【図１（ａ）】
2006122640.tif 000003
【図１（ｂ）】
2006122640.tif 000004
【図１（ｃ）】
2006122640.tif 000005
【図１（ｄ）】
2006122640.tif 000006
【図１（ｅ）】
2006122640.tif 000007
【図２】
2006122640.tif 000008
【図３】
2006122640.tif 000009
【図４】
2006122640.tif 000010
【図５】
2006122640.tif 000011
【図６】
2006122640.tif 000012
【図７】
2006122640.tif 000013
【図８】
2006122640.tif 000014
【図９】
2006122640.tif 000015
【図１０】
2006122640.tif 000016
【図１１】
2006122640.tif 000017
【図１２】
2006122640.tif 000018
【図１３】
2006122640.tif 000019
【図１４】
2006122640.tif 000020
【図１５】
2006122640.tif 000021
【図１６】
2006122640.tif 000022
【図１７】
2006122640.tif 000023
【図１８（ａ）】
2006122640.tif 000024
【図１８（ｂ）】
2006122640.tif 000025
【図１８（ｃ）】
2006122640.tif 000026
【図１９】
2006122640.tif 000027
【図２０】
2006122640.tif 000028
【図２１】
2006122640.tif 000029
【図２２】
2006122640.tif 000030